(57)【要約】【課題】操作性が良好な支持装置を提供する。【解決手段】譜面台１は、譜面２を支持する支持体５を備える。支持体５の支持柱４には移動体６を移動可能に設ける。支持柱４の下端部には固定体７を設ける。移動体６には脚体８を回動可能に取り付ける。固定体７と脚体８とを連結体９で連結する。移動体６は、移動体本体部21の周方向に並ぶ３つの脚取付突部23を有する。脚体８は、脚取付突部23を介して互いに離間対向する対向部を有する。【選択図】図１
2019118464.tif 000002
【特許請求の範囲】
【請求項１】
被支持物を支持する支持体と、
この支持体に移動可能に設けられた移動体と、
前記支持体に設けられた固定体と、
前記移動体に回動中心軸を中心として回動可能に取り付けられた脚体と、
一端側が前記脚体に回動可能に連結されかつ他端側が前記固定体に回動可能に連結された連結体とを備え、
前記移動体は、
挿通孔が形成され、この挿通孔に前記支持体が挿通された移動体本体部と、
この移動体本体部に設けられ、貫通孔が形成された脚取付突部とを有し、
前記脚体は、
長手状の脚部と、
この脚部に設けられ、軸挿入孔が形成され、前記脚取付突部を介して互いに離間対向する対向部とを有し、
前記回動中心軸は、前記脚取付突部の前記貫通孔及び前記各対向部の前記軸挿入孔に挿入されている
ことを特徴とする支持装置。
【請求項２】
脚取付突部の貫通孔の長手方向中央部と移動体本体部の挿通孔との間の距離は、前記移動体本体部のうち前記脚取付突部に対して周方向に隣接する部分の厚さよりも短い
ことを特徴とする請求項１記載の支持装置。
【請求項３】
脚取付突部の貫通孔の長手方向長さ寸法は、移動体本体部の挿通孔の直径よりも長い
ことを特徴とする請求項１又は２記載の支持装置。
【請求項４】
脚取付突部の貫通孔の少なくとも一部は、移動体本体部の外周面に沿った仮想円筒面よりも径方向内方に位置する
ことを特徴とする請求項１ないし３のいずれか一記載の支持装置。
【請求項５】
脚取付突部は、横断面が略半円状をなす略蒲鉾状に形成されている
ことを特徴とする請求項１ないし４のいずれか一記載の支持装置。
【請求項６】
移動体本体部は、不使用時に脚体の脚部と近接して対向する平面を有し、
前記平面は、前記移動体本体部の外周面のうち脚取付突部に対応する部分に形成されている
ことを特徴とする請求項１ないし５のいずれか一記載の支持装置。
【請求項７】
脚体は、脚部の長手方向中間部に固着された筒状部材を有し、
連結体の一端側は、前記筒状部材のうち支持体と対向する側とは反対側の部分に回動可能に連結されている
ことを特徴とする請求項１ないし６のいずれか一記載の支持装置。
【請求項８】
被支持物である譜面を支持する譜面台である
ことを特徴とする請求項１ないし７のいずれか一記載の支持装置。
【発明の詳細な説明】
【技術分野】
【０００１】
本発明は、操作性が良好な支持装置に関するものである。
【背景技術】
【０００２】
従来、例えば下記の特許文献１に記載された支持装置（譜面台）が知られている。
【０００３】
この従来の支持装置は、支持柱の端部近くに固定した固定座と、支持柱上を摺動する移動座と、一端を固定座に反転自在に枢着された脚と、一端を脚にまた他端を移動座に変位可能に枢着した伝達杆とを備え、折り畳み完了位置において脚と固定座の枢着点と伝達杆と移動座の枢着点を結ぶ線を支持柱の軸線と平行に設けるとともに、該線を挟んで脚と伝達杆の枢着点が支持柱の軸線の反対側に位置するものである。
【先行技術文献】
【特許文献】
【０００４】
【特許文献１】特開２００２−１６９５４２号公報
【発明の概要】
【発明が解決しようとする課題】
【０００５】
そして、このような支持装置においては、使用者が容易に操作できるものが望まれ、操作性が良好であることが求められている。
【０００６】
本発明は、このような点に鑑みなされたもので、操作性が良好な支持装置を提供することを目的とする。
【課題を解決するための手段】
【０００７】
本発明に係る支持装置は、被支持物を支持する支持体と、前記支持体に移動可能に設けられた移動体と、前記支持体に設けられた固定体と、前記移動体に回動中心軸を中心として回動可能に取り付けられた脚体と、一端側が前記脚体に回動可能に連結されかつ他端側が前記固定体に回動可能に連結された連結体とを備え、前記移動体は、挿通孔が形成され、この挿通孔に前記支持体が挿通された移動体本体部と、この移動体本体部に設けられ、貫通孔が形成された脚取付突部とを有し、前記脚体は、長手状の脚部と、この脚部に設けられ、軸挿入孔が形成され、前記脚取付突部を介して互いに離間対向する対向部とを有し、前記回動中心軸は、前記脚取付突部の前記貫通孔及び前記各対向部の前記軸挿入孔に挿入されているものである。
【発明の効果】
【０００８】
本発明によれば、操作性が良好であり、使用者が容易に操作することができる。
【図面の簡単な説明】
【０００９】
【図１】本発明の一実施の形態に係る支持装置である譜面台の使用時における正面図である。
【図２】同上譜面台の使用時における斜視図である。
【図３】同上譜面台の三脚の斜視図である。
【図４】同上譜面台の三脚の一部切欠き斜視図である。
【図５】同上譜面台の三脚の一部を省略した正面図（不使用時）である。
【図６】同上譜面台の要部斜視図である。
【図７】同上譜面台の要部断面図である。
【図８】（ａ）及び（ｂ）は同上譜面台の要部断面図である。
【図９】移動体の図８（ａ）におけるＡ−Ａ断面図である。
【図１０】（ａ）ないし（ｅ）は脚体の回動説明図である。
【発明を実施するための形態】
【００１０】
本発明の一実施の形態について図１ないし図１０を参照して説明する。
【００１１】
図１及び図２において、１は折畳み可能な支持装置である譜面台であり、この譜面台１は、使用時には所望の使用状態で載置面Ｓに載置され、被支持物である譜面２を支持する。なお、譜面台１を持ち運ぶ際等の不使用時には、譜面台１を折り畳んでコンパクトな不使用状態（折畳み状態）にすることが可能である。
【００１２】
譜面台１は、譜面２を支持する折畳み可能な譜面支持枠３及びこの譜面支持枠３が上端部に脱着可能に取り付けられた上下方向長手状の伸縮可能な支持柱（伸縮柱部）４を有する支持体５と、この支持体５の支持柱４にこの支持柱４の外周面に沿って上下方向にスライド移動可能に設けられた移動体６と、支持柱４の下端部に固設された固定体７とを備えている。
【００１３】
また、譜面台１は、移動体６に水平方向の回動中心軸（回動支点P1）11を中心として所定の回動範囲内（例えば９０度未満の回動範囲内）で回動可能に取り付けられた長手状の３本の脚体８と、一端側である上端側が脚体８の長手方向中間部である長手方向中央部（略中央部を含む。以下でも同様）に水平方向の回動中心軸（回動支点P2）12を中心として回動可能に連結され、かつ、他端側である下端側が固定体７に水平方向の回動中心軸（回動支点P3）13を中心として回動可能に連結された長手状の３本（脚体８の本数と同じ）の連結体９とを備えている。
【００１４】
なお、１本の支持柱（伸縮柱）４と、１つの筒状の移動体（移動筒）６と、１つの有底筒状の固定体（固定筒）７と、３本の脚体８と、３本の連結体（連結杆）９とによって、折畳み可能な三脚（譜面台用三脚）10が構成されている。
【００１５】
支持柱４は、上下方向の長さ調整によって譜面支持枠３の高さ位置を調整可能なもので、上段ほど外径が小さい複数段、すなわち例えば３段の管状部材16を有し、最上段の管状部材16の上端部には取付部材17が固着され、この取付部材17に譜面支持枠３が脱着可能に取り付けられている。最下段の管状部材16の下端部には、下方から固定体７が嵌合されて固着されている。
【００１６】
移動体６は、支持柱４の外周側に摺動可能に設けられたもので、例えば図３ないし図９等にも示すように、上下面が開口した筒状の移動体本体部21を有し、この移動体本体部21の内周側に支持体５の支持柱４が挿通されている。つまり、移動体本体部21には挿通孔22が上下面に貫通して形成され、この挿通孔22に支持柱４の最下段の管状部材16が挿通されている。そして、移動体本体部21は、最下段の管状部材（案内筒）16の外周面に沿って凸条16aにて案内されつつ上下方向にスライド移動（摺動）する。この移動体本体部21の内周面には上下方向に延びる３本の凹溝21aが形成され、この各凹溝21aに回り止め用の凸条16aが摺動可能に嵌合している。なお、例えば凹凸が逆でよく、凸条が移動体本体部21の内周面に形成されかつ凹溝が管状部材16の外周面に形成された構成等でもよい。
【００１７】
また、移動体本体部21の上下方向中間部（軸方向中間部）である上下方向中央部には、隣り合うもの同士の間に若干の間隙をもって移動体本体部21の周方向に並ぶ３つの脚取付突部23が径方向外方に向かって一体に突設されている。各脚取付突部23は、横断面が略半円状をなす略蒲鉾状に形成されたもので、表面に円弧面24を有している。各脚取付突部23には、水平方向に延びる断面円形の長孔状の貫通孔25が両端面に貫通して形成されている。
【００１８】
そして、脚取付突部23の貫通孔25の長手方向中央部と移動体本体部21の挿通孔22との間の距離（貫通孔25及び挿通孔22間の最小距離）Ａは、移動体本体部21のうち、互いに隣り合う脚取付突部23間に位置する部分（脚取付突部23に対して移動体本体部21の周方向に隣接する部分）の厚さＢよりも短い。つまり、貫通孔25は、挿通孔22側に近付けられて形成され、その挿通孔22の近傍位置に位置している。なお、厚さＢよりも短い距離Ａは、０ｍｍをもって理想とするが、射出成形で造る移動体本体部21の成形性を考慮すると、少なくとも２ｍｍを残すことが好ましい。
【００１９】
また、脚取付突部23の貫通孔25の長手方向長さ寸法Ｌは、移動体本体部21の挿通孔22の直径Ｄ（凹溝21aが形成されていない部分の直径）よりも長い。なお、上下方向に延びる断面円形の長孔状の挿通孔22の直径Ｄは、図７に示すように、移動体本体部21のうち脚取付突部23が設けられた部分における内径である。
【００２０】
さらに、脚取付突部23の貫通孔25の少なくとも一部、すなわち例えば貫通孔25のうち長手方向中央側における内側の部分25aは、移動体本体部21の円筒面状の外周面に沿った仮想円筒面Ｋよりも径方向内方に位置している（図７及び図８参照）。なお、仮想円筒面Ｋは、後述の第１本体部分26の外周面（凹溝28が形成されていない部分）及び第２本体部分27の外周面（平面29が形成されていない部分）に沿って位置する仮想的な円筒面である。
【００２１】
また一方、移動体本体部21は、脚取付突部23よりも上方に位置する円筒状の第１本体部分26と、脚取付突部23よりも下方に位置する略三角筒状の第２本体部分27とを有している。第１本体部分26は、使用者（操作者）が移動体６を支持柱４に対して移動させる際に指で掴む部分であり、この第１本体部分26の外周面には、指を滑りにくくするための多数の凹溝28が形成されている。
【００２２】
また、第２本体部分27は、譜面台１の不使用時（折畳み時）に脚体８の脚部41の平面部分40と近接して対向する３つの平面29を外周面に有している。これら３つの平面29は、３つの脚取付突部23と対応するように、第２本体部分27の周方向に間隙をおいて周方向に並んでおり、互いに隣り合う平面29間には円弧面30が形成されている。つまり、この第２本体部分27の外周面は、３つの平面29と、その間に位置する３つの円弧面30とによって構成されている。
【００２３】
固定体７は、上面が開口した有底筒状の固定体本体部31を有し、この固定体本体部31が支持柱４の最下段の管状部材16の下端部に嵌合されて固着されている。また、固定体本体部31の下部には、周方向に並ぶ３つの連結突部32が一体に突設されている。
【００２４】
脚体８は、所定の長さを有する長手状に形成された断面矩形の脚部41を有している。そして、この脚部41は、譜面台１の不使用時には、脚部41の下端付近の当接部分42が固定体７の連結突部32に当接することで閉方向への回動が規制されて、支持柱４と平行状に位置する。また、この状態時つまり脚体８が折畳み位置に位置した状態では、脚部41の上端側の平面部分40が、対応する移動体本体部21の平面29と近接（接触及び非接触を含む）して対向する（図５参照）。
【００２５】
なお、図５の２点鎖線で示すように、譜面台１の使用時において、脚体８が最大の開き位置（鉛直方向に対する脚体の傾斜角度が最大となる位置）に位置した状態では、移動体６の下面が固定体７の上面に当接する。換言すると、移動体６の下面が固定体７の上面に当接することで、脚体８の開方向への回動が規制される。
【００２６】
また、脚部41の上端部には、脚取付突部23を介して（例えば脚取付突部23に対応する所定距離を介して）、互いに離間対向する対をなす板状の対向部43が上方に向かって突設されている。つまり、１対の対向部43は、脚部41の上面41aから斜め上方に向かって突出し、これら両対向部43間に脚取付突部23が配置されている。対向部43には、板厚方向に延びる断面円形の軸挿入孔45が貫通して形成されている。また、対向部43の外面の周縁側には傾斜面44が形成されている。さらに、対向部43は、脚取付突部23の断面形状に対応した略半円状の取付部分43aを先端側に有し、この取付部分43aに軸挿入孔45が形成されている。
【００２７】
そして、脚部41の両対向部43の取付部分43a間に脚取付突部23が嵌入されることで貫通孔25及び両軸挿入孔45が一直線上に並んで互いに連通し、この連通した各孔25，45に丸軸状の回動中心軸（ピン）11が挿入固定されている。こうして、各脚体８の上端部の両対向部43の取付部分43aは、移動体６の脚取付突部23に回動中心軸11を介して当該回動中心軸11を中心として回動可能に取り付けられている。
【００２８】
なお、互いに隣り合う両脚体８のうちの一方の脚体８の片側の対向部43の傾斜面44と、他方の脚体８の片側の対向部43の傾斜面44との間には、所定の大きさの隙間46が存在しているが（図７参照）、当該隙間46はなくてもよい。換言すると、一の脚体８の両対向部43のうちの一方側の対向部43の傾斜面44と、当該一の脚体８とは異なる他の脚体８の両対向部43のうちの他方側の対向部43の傾斜面44とは、常時、互いに近接（接触及び非接触を含む）して対向している。
【００２９】
また一方、脚体８は、脚部41の長手方向中間部である長手方向中央部に固着された略四角筒状の筒状部材51を有している。この筒状部材51は、脚部41が挿通固定された四角筒状の筒状部52と、この筒状部52の外面側（支持柱４と対向する側とは反対側）に外方に向かって一体に突設された連結突部53とによって構成されている。
【００３０】
また、脚体８は、脚部41の下端部に固着された石突部材55を有している。この石突部材55は、載置面Ｓに載置する略円弧状の当接面56が形成された石突部57と、この石突部57に一体に設けられ脚部41の下端部内に嵌合固定された嵌合部58とによって構成されている。
【００３１】
連結体９は、固定体７と脚体８とを連結するもので、脚部41よりも短い所定の長さを有する細長い板状の長手状部61を有し、この長手状部61の一端部（上端部）には一端側連結部62が一体に設けられ、長手状部61の他端部（下端部）には他端側連結部63が一体に設けられている。
【００３２】
そして、連結体９の一端側連結部62は、脚体８の筒状部材51の連結突部53に回動中心軸12を介して当該回動中心軸12を中心として回動可能に連結されている。つまり、連結体９の一端側に位置する一端側連結部62は、脚体８の筒状部材51のうち、支持体５の支持柱４と対向する側とは反対側の部分に回動可能に連結されている。また、連結体９の他端側連結部63は、固定体７の連結突部32に回動中心軸13を介して当該回動中心軸13を中心として回動可能に連結されている。
【００３３】
ここで、図５に示すように、譜面台１の不使用時（つまり脚体８が折畳み位置に位置した状態時）には、移動体６と脚体８との間の回動支点P1と、固定体７と連結体９との間の回動支点P3とを結んだ直線ａは、支持柱４の軸芯線（移動体６の挿通孔22の中心点Ｏを通る鉛直線）ｂと略平行（平行でもよい）に位置する。
【００３４】
また、この状態時において、脚体８と連結体（伝達杆）９との間の回動支点P2は、直線ａ上には位置せず、当該直線ａに対して軸芯線ｂ側とは反対側にずれた位置に位置する。さらに、回動支点P1と回動支点P2とを結んだ直線ｃと直線ａとがなす角度θは、例えば１０度以下で、好ましくは約８度である。そして、このような回動支点の位置関係により、移動体６が支持柱４の外周面に沿ってスムーズに移動（摺動）し、この移動体６の移動に連動して脚体８が開閉方向に回動する。
【００３５】
次に、上記譜面台１の作用等を説明する。
【００３６】
譜面台１を使用する場合、使用者は、折り畳まれた不使用状態の譜面台１を所望の使用状態に切り換えて載置面Ｓ上に載置する。
【００３７】
すなわち、使用者は、図１０（ａ）に示す不使用状態（折畳み状態）から、支持柱４（支持体５の柱部）に対して移動体６を下方へ移動させることで、三脚10の３本の脚体８を回動中心軸11を中心として開方向に同時に回動させて開く。
【００３８】
この際、図１０（ｂ）ないし（ｅ）に示すように、脚固定用のストッパを設けることなく、ストッパなしで脚体８を任意の傾斜角度（最大角度は例えば７０度）に設定することができる。
【００３９】
また、使用者は、図１に示すように、支持柱４を所望量伸ばして譜面支持枠３の高さ位置を調整した後、当該譜面支持枠３を展開する。そして、楽譜等の譜面２を支持体５の譜面支持枠３上に載せる。
【００４０】
このように、使用者は、譜面台１を所望の使用状態に設定することで使用することができる。
【００４１】
そして、譜面台１の使用後、それを元の不使用状態に戻す場合、使用者は、展開した譜面支持枠３を折り畳むとともに、支持柱４を縮めて短くする。
【００４２】
また、使用者は、図１０（ａ）に示す状態になるまで、支持柱４に対して移動体６を上方へ移動させることで、三脚10の３本の脚体８を回動中心軸11を中心として閉方向に同時に回動させて閉じる。その結果、譜面台１は、３本の脚体８が中央の支持柱４と平行な状態となって、全体としてコンパクトな不使用状態となる。
【００４３】
そして、このような譜面台１によれば、操作性が良好であり、使用者は当該譜面台１をきわめて容易に操作することができる。すなわち、使用者は、傘を開閉するように、移動体６を移動操作するだけで３本の脚体８を容易に開閉できる。
【００４４】
また、折畳みの際のコンパクト性も良好であり、譜面台１を持ち運ぶ際等の不使用時には、譜面台１をコンパクトな不使用状態にすることができる。特に、貫通孔25の長手方向中央部と挿通孔22との間の距離Ａが移動体本体部21の所定部分の厚さＢよりも短いこと、貫通孔25の長手方向長さ寸法Ｌが挿通孔22の直径Ｄよりも長いこと等から、移動体６に必要な強度を確保しつつ、譜面台１の三脚10をコンパクトにすることができる。
【００４５】
なお、譜面台１は、脚体８が３本である構成には限定されず、脚体８や連結体９等の数は任意であり、少なくとも３本であることが好ましい。
【００４６】
また、支持装置は、被支持物として譜面２を支持する譜面台１には限定されず、例えば被支持物としてカメラ、ビデオカメラ、照明器具、測定機器、携帯機器等を支持するものでもよい。
【符号の説明】
【００４７】
１    支持装置である譜面台
２    被支持物である譜面
５    支持体
６    移動体
７    固定体
８    脚体
９    連結体
11    回動中心軸
21    移動体本体部
22    挿通孔
23    脚取付突部
25    貫通孔
29    平面
41    脚部
43    対向部
45    軸挿入孔
51    筒状部材
Ａ    距離
Ｂ    厚さ
Ｌ    長さ寸法
Ｄ    直径
Ｋ    仮想円筒面
【図１】
2019118464.tif 000003
【図２】
2019118464.tif 000004
【図３】
2019118464.tif 000005
【図４】
2019118464.tif 000006
【図５】
2019118464.tif 000007
【図６】
2019118464.tif 000008
【図７】
2019118464.tif 000009
【図８】
2019118464.tif 000010
【図９】
2019118464.tif 000011
【図１０】
2019118464.tif 000012
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
被支持物を支持する支持体と、
この支持体に移動可能に設けられた移動体と、
前記支持体に設けられた固定体と、
前記移動体に回動中心軸を中心として回動可能に取り付けられた複数本の脚体と、
一端側が前記脚体に回動可能に連結されかつ他端側が前記固定体に回動可能に連結された複数本の連結体とを備え、
前記移動体は、
挿通孔が形成され、この挿通孔に前記支持体が挿通された移動体本体部と、
この移動体本体部に設けられ、貫通孔が形成された脚取付突部とを有し、
前記脚体は、
長手状の脚部と、
この脚部の上端部に前記移動体側へ斜め上方に向かって突設され、軸挿入孔が形成され、前記脚取付突部を介して互いに離間対向する対向部とを有し、
前記回動中心軸は、前記脚取付突部の前記貫通孔及び前記各対向部の前記軸挿入孔に挿入され、
互いに隣り合う前記脚体のうちの一方の脚体の片側の対向部と、他方の脚体の片側の対向部とは、常時、互いに近接して対向している
ことを特徴とする支持装置。
【請求項２】
脚体の各対向部の外面の周縁側には、傾斜面が形成され、
互いに隣り合う前記脚体のうちの一方の脚体の片側の対向部の傾斜面と、他方の脚体の片側の対向部の傾斜面とは、常時、互いに近接して対向している
ことを特徴とする請求項１記載の支持装置。
【請求項３】
被支持物を支持する支持体と、
この支持体に移動可能に設けられた移動体と、
前記支持体に設けられた固定体と、
前記移動体に回動中心軸を中心として回動可能に取り付けられた脚体と、
一端側が前記脚体に回動可能に連結されかつ他端側が前記固定体に回動可能に連結された連結体とを備え、
前記移動体は、
挿通孔が形成され、この挿通孔に前記支持体が挿通された移動体本体部と、
この移動体本体部に設けられ、貫通孔が形成された脚取付突部とを有し、
前記脚体は、
長手状の脚部と、
この脚部に設けられ、軸挿入孔が形成され、前記脚取付突部を介して互いに離間対向する対向部とを有し、
前記回動中心軸は、前記脚取付突部の前記貫通孔及び前記各対向部の前記軸挿入孔に挿入され、
前記移動体本体部は、不使用時に前記脚体の前記脚部と近接して対向する平面を有し、
前記平面は、前記移動体本体部の外周面のうち前記脚取付突部に対応する部分に形成されている
ことを特徴とする支持装置。
【請求項４】
被支持物を支持する支持体と、
この支持体に移動可能に設けられた移動体と、
前記支持体に設けられた固定体と、
前記移動体に回動中心軸を中心として回動可能に取り付けられた脚体と、
一端側が前記脚体に回動可能に連結されかつ他端側が前記固定体に回動可能に連結された連結体とを備え、
前記移動体は、
挿通孔が形成され、この挿通孔に前記支持体が挿通された移動体本体部と、
この移動体本体部に設けられ、貫通孔が形成された脚取付突部とを有し、
前記脚体は、
長手状の脚部と、
この脚部に設けられ、軸挿入孔が形成され、前記脚取付突部を介して互いに離間対向する対向部とを有し、
前記回動中心軸は、前記脚取付突部の前記貫通孔及び前記各対向部の前記軸挿入孔に挿入され、
前記脚体は、前記脚部の長手方向中間部に固着された筒状部材を有し、
前記連結体の一端側は、前記筒状部材のうち前記支持体と対向する側とは反対側の部分に回動可能に連結されている
ことを特徴とする支持装置。
【請求項５】
被支持物である譜面を支持する譜面台である
ことを特徴とする請求項１ないし４のいずれか一記載の支持装置。